(57)【要約】      （修正有）【課題】何れの工具も使わずに、単独で球体に空気を入れることのできる独立式空気充填装置を備えるボールを提供する。【解決手段】独立式空気充填装置を備えるボールは、球体１内に空気充填部２を結合して構成される。前記球体内壁の適当箇所には強化用の窪み２１を配置し、前記空気充填部２をおさめ、空気充填部に結合しそれに繋がらせることにより、球体に空気を充填する動作を行う。前記空気充填部には本体を備え、本体内部には空気進入空間２１１を配置する。本体の適当箇所の二箇所には密封部材２３を備え、一つは入口１２１、一つは空気充填口２１２とする。前記空気充填口は球体内部に繋がり、指で入口箇所の圧力面に力をかけて押圧すると、空気進入空間２１１内の空気は密封部材を通過して、球体内に入り込む。また、指を放すと、密封部材は球体内部の空気の漏出を阻止し、新しい空気が入口から入り空気進入空間２１１に充填される。【選択図】図１
0003166420.tif 000002
【実用新案登録請求の範囲】
【請求項１】
球体に空気充填部を内設する独立式空気充填装置を備えるボールは、前記該球体内部には気体を入れるための空気充填空間を配置し、球体内壁上には、強化窪みを配置し、本窪み内には空気充填部を結合し、前記空気充填部は空気充填本体とし、しかも前記球体内壁上の強化窪み内に結合し、球体と本体間には気体を圧縮させるための空間を形成し、前記空気充填本体には入口と空気充填口を配置し、且つ何れにも密封部材を配置し、空気充填本体の空気充填口箇所には基本体を配置し、基本体は空気通路によって球体内部空間と空気充填本体空間に繋がり、空気通路には密封部材と弾性部材を貫設して気体が戻るのを阻止することを特徴とする独立式空気充填装置を備えるボール。
【請求項２】
前記空気充填装置には入口及び空気充填口を備え、しかも何れにも逆止弁を配置することを特徴とする請求項１に記載の独立式空気充填装置を備えるボール。
【請求項３】
前記球体内壁上には強化窪みを配置し、球体の外形及び本体外形を支持し維持させることを特徴とする請求項１に記載の独立式空気充填装置を備えるボール。
【請求項４】
前記空気充填部は円柱体のウェーブ形状をなす弾性筒体とし、空気充填部本体は球体内壁上の強化窪み内に結合することを特徴とする請求項１に記載の独立式空気充填装置を備えるボール。
【請求項５】
前記空気充填部は半球体形状とし、空気充填部本体は球体内壁上の強化窪み内に結合することを特徴とする請求項１に記載の独立式空気充填装置を備えるボール。
【請求項６】
前記空気充填部は円球形状とすることを特徴とする請求項１に記載の独立式空気充填装置を備えるボール。
【請求項７】
前記空気充填部は皿形状とし、球体内壁上に固定し、しかも取り外し不可能な固定式とすることを特徴とする請求項１に記載の独立式空気充填装置を備えるボール。
【請求項８】
前記空気充填基本体の両端には球体と本体を固定するための環状嵌合部材を備えることを特徴とする請求項１に記載の独立式空気充填装置を備えるボール。
【請求項９】
前記本体と球体は簡単に分離でき、本体の基本体外壁上にはねじ山を配置し、球体内壁上の強化窪み内にはねじ座を備えることを特徴とする請求項１に記載の独立式空気充填装置を備えるボール。
【考案の詳細な説明】
【技術分野】
【０００１】
本考案の独立式空気充填装置を備えるボールは、球体構造に係り、特に、球体に空気充填部を内設し、何れの工具も使わずに、単独で球体に空気を入れることのできる独立式空気充填装置を備えるボールに関する。
【背景技術】
【０００２】
球技は、一人または多数で行うスポーツで、身体を鍛えるだけでなく、団体下での協力を学ぶことができるスポーツでもある。現在、多くの人から好まれている球技には、バスケットボール、サッカー、ラグビー、バレーボール、ハンドボール、ドッチボール、並びに空気を充填する各種遊具ボール等がある。そのほとんどは、円形球体を基礎とするボールを用い、ボールの大きさ、品質、材質などは、該当するスポーツの基準及び希望により定められている。
【０００３】
前述したバスケットボール、サッカー、ラグビー、バレーボール、ハンドボール、ドッチボール、並びに空気を充填する各種遊具ボールは、空気充填タイプに属するボールであり、球技を行う場合、ボール内への空気の入れ具合が選手の表現、球技中の感覚や気分に影響を及ぼすため、ボールに適当な気圧を与えることが非常に重要となってくる。
【０００４】
しかし、一般の人は、球技を気軽なレジャースポーツと考えており、したい時に球体の気圧が不足していたなら、球体に空気を入れるためのエアポンプやニードルを必要とするため、もし空気を入れる道具がないなら非常に不便である。その他の空気充填式の各種遊具ボールも、使用前に空気を入れなければならず、エアポンプがない場合は、直接口で入れなければならず、衛生問題に関わることになる。
【０００５】
本考案の独立式空気充填装置を備えるボールは、球体の空気充填における便利性を改善するものである。
【考案の概要】
【考案が解決しようとする課題】
【０００６】
本考案の独立式空気充填装置を備えるボールの主な目的は、空気を充填するための道具を携帯する必要なく、随時随所において単独に球体へ空気を充填できるボールを提供することにある。
【課題を解決するための手段】
【０００７】
前述の目的を達成するために、本考案では、独立式空気充填装置を備えるボールを提供する。
それは、球体内壁の適当箇所に強化を加えた窪みを配置し、空気充填部を結合する。前記空気充填部には自分で形状を回復する伸縮力を備えさせ、また、入口及び空気充填口の空気進入空間を備え、球体窪み内部の開口箇所と繋がり、開口箇所には更に密封部材を配置する。気体は、単に一方向に空気進入空間から球体内部に流れ込み、逆方向に流出することはない。新しい空気が継続的に空気充填部の入口から入り込み、前記入口にも一方向の密封部材を備え、力を加えて空気を充填する時、気体が漏れ出すことがないため、前記空気充填部を繰り返すことにより球体に空気を充填することができる。
【考案の効果】
【０００８】
本考案は、上述の技術手段によって、独立式空気充填装置を備えるボールを実現する。球体内に配置した前記空気充填部は、空気を充填したい場合、指で入口箇所を何度も押して球体に空気を入れるもので、その他の空気を充填するための道具を必要とせず、また、エアポンプの代わりに口で直接、空気を充填する必要もない。本考案は、確実に簡単操作と隨時空気充填という二重効果を達成するものである。
【図面の簡単な説明】
【０００９】
【図１】本考案の断面図である。
【図２】本考案において、指で押圧し空気を充填している時の一部断面図である。
【図３】本考案において、押圧し空気を充填した後に指を放した時の一部断面図である。
【図４】本考案を半球型空気充填部に変更した実施例についての一部断面図である。
【図５】本考案において、指で押圧し空気を充填している時の一部断面図である。
【図６】本考案を円筒型空気充填部に変更した実施例についての一部断面図である。
【図７】本考案において、指で押圧し空気を充填している時の一部断面図である。
【図８】本考案を皿型空気充填部に変更した実施例についての一部断面図である。
【図９】本考案において、指で押圧している時の一部断面図である。
【図１０】本考案において、押圧し空気充填した後に指を放した時の一部断面図である。
【図１１】本考案において、基本体を分離式に変更し、環状嵌合部材を増設した実施例についての一部断面図である。
【図１２】本考案において、基本体をねじ込み式に変更し、ねじ山及びねじ座を増設した実施例についての一部断面図である。
【考案を実施するための形態】
【００１０】
次に、本考案の独立式空気充填装置を備えるボールの構成及びそれが達成する効果について、図面を組み合わせた実施例を用いて詳細な説明を行う。
【００１１】
図１に示す通り、本考案の独立式空気充填装置を備えるボールは、球体１及び空気充填部２を備える。
【００１２】
前記球体１は、バスケットボール、サッカー、ラグビー、バレーボール、ハンドボール、ドッチボール、並びに空気を充填する各種遊具ボール等とする。球体１には気体を入れるための内部空間１１を内設し、その内壁の適当箇所に強化窪み２１を備え、窪み底部に空気充填口２１２を配置する。
【００１３】
前記空気充填部２は、強化窪み２１を球体１内壁の適当箇所に結合したものとし、空気充填押圧区４１と共に空気進入空間２１１を形成し、前記空気充填押圧区上には入口１２１及び密封装置１２を配置し、強化窪みの底部には空気充填口２１２を備え、球体内部空間１１に繋がり、基本体２２を結合する。空気通路２２１は空気充填口２１２に繋がり、空気通路２２１箇所には更に、密封部材２３及び弾性部材２４を備え、本体２は円柱ウェーブ形状とする。
【００１４】
本考案には、従来の空気充填ノズル３を残し、使用者に選択使用させられる。
【００１５】
続いて、図２及び図３に示す通り、球体１内の気圧が不足した時に、前記空気充填装置によって空気を充填している図である。まず、指で空気充填押圧区４１の入口箇所１２１を力を入れて押圧すると、空気進入空間２１１内の空気は、圧迫され、逆止弁１２による阻止を受け、空気充填口２１２に方向転換して空気通路２２１を通過する。勢いにそって密封部材２３を開いた後、空気は球体内部空間１１に入り込む。これは、図２及び図３に示す通りである。
【００１６】
続いて、空気充填押圧区４１を押すと、空気進入空間２１１の空気は球体１内に充填され、指を放すと、球体内の空気充填装置はまた、元来の形状に回復し、次の空気充填押圧の待機状態となる。別の新しい空気が入口１２１から空気進入空間２１１に充填されるのと同時に、密封部材２３は弾性部材２４の働きにより、球体内１１の空気の漏出を阻止し防ぐ。
【００１７】
空気充填部２を球体１内に配置しているため、空気充填時にはただ指で空気充填押圧区４１箇所を複数回押圧するだけで空気が充填され、その他のエアポンプ等の道具を必要とせずに、本考案は、簡単操作で随時単独に球体に空気充填する効果を確実に達成することができる。
【００１８】
本考案について、前述の実施例によって説明を行ってきたが、本考案の創作精神を逸脱せずにその形態及び細部を変化させられることは、本分野の技術員も理解できることである。例えば、図４、図５、図６、図７、図８、図９、図１０に示したものは、その他の実施可能な実施例である。
【００１９】
図４、図５に示した空気充填部５において、本体５１は半球形状とし、しかも球体１の球体内壁上の強化窪み２１内に延伸する。本実施例では、空気充填部５１全体の交換を便利に行うことができる。
【００２０】
図６、図７に示した空気充填部６において、本体６１は円球形状とし、しかも球体１の強化窪み２１内に延伸する。本実施例では、空気充填部６１全体の交換を便利に行うことができる。
【００２１】
図８に示した空気充填部６において、本体は皿形状をなし、球体１の内壁上に配置される。空気充填本体２１は強化窪みとし、球体１１の内圧を支えるためのものである。強化窪みの上層は空気充填部の空気充填押圧区４１とする。本実施例の空気充填部は取外し不可能な固定型である。図９及び図１０には空気充填時の断面図を示す。
【００２２】
図１１に示した取外し可能タイプの空気充填基本体７は、その両端に環状嵌合部材８２を配置して、球体内壁上の強化窪み２１と空気充填部を固定する。本実施例では、空気充填部８１全体或いは空気充填基本体７の交換を便利に行うことができる。
【００２３】
図１２に示したねじ込みタイプの空気充填基本体８は、前記基本体外壁にねじ山９２を配置し、球体内壁上の強化窪み２１にはねじ座９８を配置し、基本体８のねじ山９２をねじ座９８に螺合して固定させ、並びに、ゴムリング１００によって気体がここから漏出するのを防止する。本実施例では、空気充填部９１全体或いは空気充填基本体８の交換を便利に行うことができる。
【符号の説明】
【００２４】
１球体
１１球体内部空間
１２逆止弁（空気充填押圧区）
１２１新空気入口
２空気充填部
２１球体内壁上の強化窪み
２１１空気進入空間
２１２空気充填口
２２基本体
２２１空気通路
２３密封部材
２４弾性部材
４１空気充填押圧区
３従来の空気充填ノズル
５空気充填部
５１本体
４空気充填部
６１本体
５空気充填部
６空気充填部
７１本体
７基本体
８１本体
８２基本体環状嵌合部材
８基本体
９１本体
９２基本体上のねじ山
９３密封部材
９４弾性部材
９８球体内壁上の強化窪み内のねじ座
１００漏れ防止ゴムリング
【図１】
0003166420.tif 000003
【図２】
0003166420.tif 000004
【図３】
0003166420.tif 000005
【図４】
0003166420.tif 000006
【図５】
0003166420.tif 000007
【図６】
0003166420.tif 000008
【図７】
0003166420.tif 000009
【図８】
0003166420.tif 000010
【図９】
0003166420.tif 000011
【図１０】
0003166420.tif 000012
【図１１】
0003166420.tif 000013
【図１２】
0003166420.tif 000014